(57)【要約】  多目的自己照明式歯科用鏡は、３つの着脱可能アセンブリから成る。第１のアセンブリは、ヘッドと、シャンクとを含む。ヘッドは、鏡付前方表面と、１つまたはそれを上回る後向き光源を含む、後方透明表面とを有する。シャンクは、ある角度でヘッドと接続され、シャンクとヘッドの接続部においてシャンクから延在する、１つまたはそれを上回る前向き光源を有する。第１のアセンブリの光源は、第１のアセンブリの鏡付前方表面のための照明を提供するために使用される。第２のアセンブリは、第１のアセンブリの光源に給電するために使用される１つまたはそれを上回るバッテリを封入する、ハンドルを含む。第３のアセンブリは、レーザポインタと、ペンまたはスタイラスのための筐体とを含む。第２のアセンブリの１つまたはそれを上回るバッテリはまた、レーザポインタにも給電するために使用される。
2018522652.tif 000002
【特許請求の範囲】
【請求項１】
多目的自己照明式歯科用鏡であって、
鏡付前方表面および１つまたはそれを上回る後向き光源を含む後方透明表面を有する、ヘッドと、第１の端部において前記ヘッドの側面に接続され、前記ヘッドの平面からある角度で縦方向に延在し、シャンクと前記ヘッドの接続部においてシャンクから延在する１つまたはそれを上回る前向き光源を有する、シャンクと、前記シャンクを通して前記シャンクの第２の端部において第１の電気コネクタに延在する、前記１つまたはそれを上回る後向き光源および１つまたはそれを上回る前向き光源からの配線とを含む、第１のアセンブリと、
１つまたはそれを上回るバッテリのための筐体を有するハンドルと、前記１つまたはそれを上回るバッテリを、前記ハンドルの第１の端部において、第２の電気コネクタに、前記ハンドルの第２の端部において、第３の電気コネクタに電気的に接続する、配線と、前記１つまたはそれを上回るバッテリおよび前記第２の電気コネクタを接続またはそこから切断する、スイッチとを含む、第２のアセンブリであって、前記第１のアセンブリは、前記シャンクの第２の端部が前記ハンドルの第１の端部に物理的に接続され、前記第１の電気コネクタが前記第２の電気コネクタに電気的に接続されるように、第１の着脱可能接続を通して前記第２のアセンブリに物理的に接続される、第２のアセンブリと、
レーザ光をレーザポインタの第１の端部から指向する、レーザポインタと、前記レーザポインタを前記レーザポインタの第２の端部に位置する第４の電気コネクタに接続またはそこから切断するためのスイッチとを含む、第３のアセンブリであって、前記第３のアセンブリは、前記レーザポインタの第２の端部が前記ハンドルの第２の端部に物理的に接続され、前記第４の電気コネクタが前記第３の電気コネクタに電気的に接続されるように、第２の着脱可能接続を通して前記第２のアセンブリに物理的に接続される、第３のアセンブリと、
を備える、多目的自己照明式歯科用鏡。
【請求項２】
前記１つまたはそれを上回る後向き光源は、１つまたはそれを上回る発光ダイオード（ＬＥＤ）を備える、請求項１に記載の多目的自己照明式歯科用鏡。
【請求項３】
前記１つまたはそれを上回る前向き光源は、１つまたはそれを上回る発光ダイオード（ＬＥＤ）を備える、請求項１に記載の多目的自己照明式歯科用鏡。
【請求項４】
前記シャンクの断面は、長方形である、請求項１に記載の多目的自己照明式歯科用鏡。
【請求項５】
前記シャンクの長方形断面の幅は、前記シャンクが患者の唇または舌を後退させるために使用され得るように、高さを上回る、請求項４に記載の多目的自己照明式歯科用鏡。
【請求項６】
前記ハンドルの断面は、長方形である、請求項１に記載の多目的自己照明式歯科用鏡。
【請求項７】
前記１つまたはそれを上回るバッテリは、１つまたはそれを上回るＡＡＡバッテリを備える、請求項１に記載の多目的自己照明式歯科用鏡。
【請求項８】
前記１つまたはそれを上回るバッテリは、１つまたはそれを上回るＡＡバッテリを備える、請求項１に記載の多目的自己照明式歯科用鏡。
【請求項９】
前記１つまたはそれを上回るバッテリは、１つまたはそれを上回る９ボルトバッテリを備える、請求項１に記載の多目的自己照明式歯科用鏡。
【請求項１０】
前記第１のアセンブリは、前記第１のアセンブリが衛生デバイスによって消毒され得るように、液密かつ圧力安全性である、請求項１に記載の多目的自己照明式歯科用鏡。
【請求項１１】
前記第３のアセンブリはさらに、書込デバイスを格納するための筐体を備える、請求項１に記載の多目的自己照明式歯科用鏡。
【請求項１２】
前記書込デバイスは、ペンを備える、請求項１１に記載の多目的自己照明式歯科用鏡。
【請求項１３】
前記書込デバイスは、電子デバイス上に書き込むためのスタイラスを備える、請求項１１に記載の多目的自己照明式歯科用鏡。
【請求項１４】
前記後方透明表面は、クリアガラスを備える、請求項１に記載の多目的自己照明式歯科用鏡。
【請求項１５】
１つまたはそれを上回る前向き光源は、２つの前向き光源を備える、請求項１に記載の多目的自己照明式歯科用鏡。
【発明の詳細な説明】
【技術分野】
【０００１】
（関連出願の相互参照）
本願は、２０１５年７月２３日に出願された米国仮特許出願第６２／１９５，８１１号の利益を主張するものであり、該米国仮特許出願の内容は、その全体が参照により本明細書中に援用される。
【背景技術】
【０００２】
歯科用鏡等の手持式医療器具は、臨床歯科分野において、長年公知かつ使用されている。歯科用鏡は、臨床医が、直接見通し線によって見ることが困難または不可能であり得る、口および喉（延在部と併用される場合）の種々の部分を視認することを可能にする。しかしながら、口のいくつかの部分は、歯科用鏡を用いても見ることが困難である。患者の口の内側の点灯条件は、多くの場合、良くても不良である。暗い歯科用鏡は、多くの場合、使用が限定される。したがって、長年にわたって、歯科産業は、頭上灯具から利用可能な光に依存するのではなく、その独自の照明システムを伴う鏡の開発を模索している。そのような鏡の実施例は、Ｋｅｌｌｅｒの米国特許第３，６３８，０１３号、Ｒｉｇｕｔｔｏの米国特許第４，２７９，５９４号、Ｄｅｔｓｃｈの米国特許第４，６２９，４２５号、Ｋｉｍｍｅｌｍａｎ  ｅｔ  ａｌ．の米国特許第４，９９３，９４５号、Ｗａｌｋｅｒの米国特許第５，１３９，４２０号、Ｖｅｒｄｅｒｂｅｒの米国特許第５，１３９，４２１号、Ｖｅｒｄｅｒｂｅｒの米国特許第５，４５７，６１１号、Ｗａｔｓｏｎの米国特許第６，４４３，７２９号、およびＷａｔｓｏｎの米国特許第８，１７２，５７１号に開示されている。
【０００３】
これらの鏡は、その独自の光源を含んでいるが、それらは、概して、不十分である。これらの歯科用鏡の大部分は、単一光源のみを使用し、したがって、歯科医は、患者の口の内側の限定された点灯面積のみが見える。したがって、歯科医は、依然として、患者を効果的に治療するために、外部灯具を必要とする。患者の安全かつより良好な治療のために、患者および歯科医の両方のための改良された歯科用鏡の必要性が存在する。
【先行技術文献】
【特許文献】
【０００４】
【特許文献１】米国特許第３，６３８，０１３号明細書
【特許文献２】米国特許第４，２７９，５９４号明細書
【特許文献３】米国特許第４，６２９，４２５号明細書
【特許文献４】米国特許第４，９９３，９４５号明細書
【特許文献５】米国特許第５，１３９，４２０号明細書
【特許文献６】米国特許第５，１３９，４２１号明細書
【特許文献７】米国特許第５，４５７，６１１号明細書
【特許文献８】米国特許第６，４４３，７２９号明細書
【特許文献９】米国特許第８，１７２，５７１号明細書
【発明の概要】
【課題を解決するための手段】
【０００５】
本発明の１つまたはそれを上回る実施形態が、詳細に説明される前に、当業者は、本発明が、その用途において、以下の詳細な説明に記載される構造、構成要素の配列、およびステップの配列の詳細に限定されないことを理解するであろう。本発明は、他の実施形態も可能であって、種々の方法で実践または実施されることが可能である。また、本明細書で使用される語句および用語は、説明の目的のためのものであって、限定として見なされるべきではないことを理解されたい。
歯科用鏡
【０００６】
前述のように、歯科医は、従来の歯科用鏡が、患者の治療の際に使用するために不便であって、患者の安全かつより良好な治療のために、患者および歯科医の両方のための改良された歯科用鏡の必要性が存在することを見出している。
【０００７】
改良された照明を伴う歯科用鏡の実施形態は、歯科医が患者の口の内側をより良好に視認し得るように、より大きな鏡を使用する。また、歯科用鏡の本体は、より良好な握持のためと、歯科医が、歯科医の手および指に対してより少ない応力を伴って、患者の頬および舌を後退させることを可能にするために、従来の歯科用鏡より広い。
【０００８】
また、改良された照明を伴う歯科用鏡の実施形態は、３つの光源を歯科用鏡上で使用する。その結果、歯科用鏡は、より多くの照明される面積を患者の口の内側に提供する。
【０００９】
種々の実施形態では、光源のうちの１つは、歯科用鏡の裏側に照明を提供するために、歯科用鏡の裏側に搭載される。
【００１０】
種々の実施形態では、歯科用鏡は、容易に利用可能かつコスト効率的である、ＡＡおよびＡＡＡアルカリバッテリを含む、小サイズの直流（ＤＣ）バッテリを使用する。種々の実施形態では、歯科用鏡は、同様に都合よく市場で入手可能な発光ダイオード（ＬＥＤ）をその光源として使用する。種々の実施形態では、歯科用鏡は、少量の電力を消費し、バッテリは、持続的使用に伴って、５０時間を上回って持続することができる。
【００１１】
種々の実施形態では、歯科用鏡は、鏡機能に加えて、ボールペン、容量式スタイラス、およびプレゼン用ポインタの１つまたはそれを上回るものを含むことができる。当業者は、他の機能も同様に歯科用鏡上に提供されることができることを理解するであろう。これらの機能は、歯科医が、その患者を治療し、かつ支援するための多大な利便性を提供する。
【図面の簡単な説明】
【００１２】
【図１】図１は、種々の実施形態による、改良された照明を伴う歯科用鏡の実施形態の上面図である。
【図２】図２は、種々の実施形態による、改良された照明を伴う歯科用鏡の実施形態の正面図である。
【図３】図３は、種々の実施形態による、改良された照明を伴う歯科用鏡の実施形態の底面図である。
【図４】図４は、種々の実施形態による、多目的自己照明式歯科用鏡の側面図である。
【図５】図５は、種々の実施形態による、多目的自己照明式歯科用鏡の上面図である。
【図６】図６は、種々の実施形態による、多目的自己照明式歯科用鏡の底面図である。
【図７】図７は、種々の実施形態による、多目的自己照明式歯科用鏡の斜視図である。
【発明を実施するための形態】
【００１３】
図１は、種々の実施形態による、歯科用鏡の実施形態の上面図１００である。歯科用鏡は、例えば、３つのアセンブリ、すなわち、アセンブリ＃１、１１０と、アセンブリ＃２、１２０と、アセンブリ＃３、１３０とを含む。
【００１４】
種々の実施形態では、アセンブリ＃１、１１０は、圧力安全性照明ユニットである。本ユニット１１０は、１３５℃の衛生試験規格に合格するであろう。ユニット１１０は、鏡１１２と、３つのＬＥＤ光１５０と、関連付けられた配線とを含む。
【００１５】
種々の実施形態では、鏡１１２は、従来の歯科用鏡より大きい。
【００１６】
種々の実施形態では、ＬＥＤ光１５０は、ユニット１１０内の３つの場所に位置し、例えば、照明を面積１４２、１４４、１４６に提供する。当業者は、異なる数のＬＥＤ光が種々の場所において歯科用鏡上に提供されることができることを理解するであろう。
【００１７】
種々の実施形態では、アセンブリ＃２、１２０は、２つのＡＡＡアルカリバッテリ等のバッテリ１２２のためのコンパートメントを含む、直流（ＤＣ）電源ユニットである。
【００１８】
種々の実施形態では、バッテリ１２２は、持続的使用のために５０時間を上回って持続し得る。
【００１９】
種々の実施形態では、アセンブリ＃３、１３０は、ボールペン、容量式スタイラス１３２、および線１３６を通したモニタ（図示せず）までのレーザ式プレゼン用ポインタ１３４等の付加的機能性を提供する、ユニットである。当業者は、他の機能性も等しく歯科用鏡上に提供されることができることを理解するであろう。
【００２０】
図２は、種々の実施形態による、歯科用鏡の実施形態の正面図２００である。
【００２１】
種々の実施形態では、歯科用鏡は、ＬＥＤ光１５０をオンおよびオフにするためのオン／オフスイッチ２２２を含む。
【００２２】
種々の実施形態では、歯科用鏡は、レーザポインタ１３４をオンおよびオフにするためのレーザポインタスイッチ２３２を含む。
【００２３】
図２の断面Ａ−Ａは、ＬＥＤ光１５０をより詳細に示す。鏡が、上側２７０に位置する。底側２６０は、クリアガラスから成る。３つのＬＥＤ光は、２５２、２５４、および２５６として示される。
【００２４】
図３は、種々の実施形態による、歯科用鏡の実施形態の底面図３００である。図１と同様に、レーザポインタ１３４は、線１３６に沿ってモニタ（図示せず）をポイントする。
【００２５】
種々の実施形態では、ＬＥＤ光１５０は、照明を面積３４２および３４６内に提供する。
【００２６】
図４は、種々の実施形態による、多目的自己照明式歯科用鏡の側面図４００である。多目的自己照明式歯科用鏡は、第１のアセンブリ１００と、第２のアセンブリ２００と、第３のアセンブリ３００とを含む。
【００２７】
第１のアセンブリ１００は、ヘッド１１０と、シャンク１２０とを含む。ヘッド１１０は、鏡付前方表面１１１と、後方透明表面１１２とを有する。後方透明表面１１２は、１つまたはそれを上回る後向き光源（図示せず）を含む。シャンク１２０は、第１の端部１２１において、ヘッド１１０の側面に物理的に接続される。シャンク１２０は、ヘッド１１０の平面から角度１２５において縦方向に延在する。シャンク１２０は、シャンク１２０とヘッド１１０の接続部においてシャンク１２０から延在する、１つまたはそれを上回る前向き光源１２７を含む。第１のアセンブリ１００はまた、シャンク１２０を通してシャンク１２０の第２の端部１２２において第１の電気コネクタ（図示せず）に延在する、１つまたはそれを上回る後向き光源および１つまたはそれを上回る前向き光源１２７からの配線（図示せず）を含む。
【００２８】
第２のアセンブリ２００は、ハンドル２１０を含む。ハンドル２１０は、１つまたはそれを上回るバッテリ（図示せず）を収容するための筐体２１５を含む。第２のアセンブリ２００は、１つまたはそれを上回るバッテリを、ハンドル２１０の第１の端部２１１において第２の電気コネクタに、ハンドル２１０の第２の端部２１２において第３の電気コネクタ（図示せず）に電気的に接続する、配線を含む。１つまたはそれを上回るバッテリは、例えば、１つまたはそれを上回るＡＡＡバッテリ、１つまたはそれを上回るＡＡバッテリ、もしくは１つまたはそれを上回る９ボルトバッテリを含むことができる。第２のアセンブリ２００はまた、１つまたはそれを上回るバッテリと第２の電気コネクタを接続または切断し、第１のアセンブリ１００の１つまたはそれを上回る後向き光源および１つまたはそれを上回る前向き光源をオンもしくはオフにする、スイッチ（図示せず）を含む。
【００２９】
第１のアセンブリ１００は、シャンク１２０の第２の端部１２２がハンドル２１０の第１の端部２１１に物理的に接続され、第１の電気コネクタが第２の電気コネクタに電気的に接続されるように、第１の着脱可能接続（図示せず）を通して第２のアセンブリ２００に物理的に接続される。第１の着脱可能接続は、分離も可能にする、任意のタイプの物理的接続であることができる。例えば、第１の着脱可能接続は、実矧ぎ継ぎ接続であることができ、第１のアセンブリ１００のさねは、第２のアセンブリ２００のほぞの中に挿入される。ラッチが、接続を固着するために使用されてもよく、アセンブリが取り外されることを可能にするために開放されることができる。第１のアセンブリ１００は、第２のアセンブリ２００から、例えば、消毒のために取り外される。種々の実施形態では、第１のアセンブリ１１０は、第１のアセンブリ１００が衛生デバイスによって消毒され得るように、液密かつ圧力安全性である。
【００３０】
第３のアセンブリ３００は、レーザポインタ３１０を含む。レーザポインタ３１０は、レーザ光をレーザポインタ３１０の第１の端部３１１から指向させる。レーザポインタ３１０は、例えば、提案される手技を説明するとき、患者の注意をコンピュータ画面に向けるために有用である。第３のアセンブリ３００はまた、レーザポインタ３１０をレーザポインタ３１０の第２の端部３１２に位置する第４の電気コネクタ（図示せず）に接続するまたはそこから切断し、レーザポインタ３１０をオンもしくはオフにする、スイッチ（図示せず）を含む。
【００３１】
第３のアセンブリ３００は、レーザポインタ３１０の第２の端部３１２がハンドル２１０の第２の端部２１２に物理的に接続され、第４の電気コネクタが第３の電気コネクタに電気的に接続されるように、第２の着脱可能接続（図示せず）を通して第２のアセンブリ２００に物理的に接続される。第４の電気コネクタと第３の電気コネクタの接続は、レーザポインタ３１０が電力を第２のアセンブリ２００の１つまたはそれを上回るバッテリから受信することを可能にする。第２の着脱可能接続はまた、分離も可能にする、任意のタイプの物理的接続であることができる。例えば、第１の着脱可能接続は、実矧ぎ継ぎ接続であることができ、第３のアセンブリ３００のさねは、第２のアセンブリ２００のほぞの中に挿入される。ラッチが、接続を固着するために使用されてもよく、アセンブリが取り外されることを可能にするために開放されることができる。第３のアセンブリ３００は、第２のアセンブリ２００から取り外され、他のデバイスが、例えば、第２のアセンブリ２００に取り付けられることを可能にする。
【００３２】
種々の実施形態では、第３のアセンブリ３００はさらに、書込デバイスを格納するための筐体を含む。書込デバイスは、例えば、ペン３２０であることができる。書込デバイスはまた、電子デバイス上に書き込むためのスタイラスであることができる。書込デバイスは、歯科医が、鏡を使用して、患者についての情報を迅速に書き込むことを可能にする。
【００３３】
図５は、種々の実施形態による、多目的自己照明式歯科用鏡の上面図５００である。第１のアセンブリ１００、第２のアセンブリ２００、および第３のアセンブリ３００は、図５００に示される。１つまたはそれを上回る前向き光源は、本実施形態では、２つの前向き光源１２７を含む。１つまたはそれを上回る前向き光源は、例えば、１つまたはそれを上回る発光ダイオード（ＬＥＤ）であることができる。
【００３４】
図６は、種々の実施形態による、多目的自己照明式歯科用鏡の底面図６００である。第１のアセンブリ１００、第２のアセンブリ２００、および第３のアセンブリ３００は、図６００に示される。１つまたはそれを上回る後向き光源は、本実施形態では、１つの後向き光源１２８を含む。後向き光源１２８は、第１のアセンブリ１００のヘッド１１０上に位置する。後向き光源１２８は、ヘッド１１０の後方透明表面１１２の背後に位置する。後方透明表面１１２は、例えば、クリアガラスである。１つまたはそれを上回る後向き光源は、例えば、１つまたはそれを上回る発光ダイオード（ＬＥＤ）であることができる。
【００３５】
図７は、種々の実施形態による、多目的自己照明式歯科用鏡の斜視図７００である。第１のアセンブリ１００、第２のアセンブリ２００、および第３のアセンブリ３００は、図７００に示される。本実施形態では、シャンク１２０は、長方形断面１３０を有する。さらに、シャンク１２０の長方形断面１３０の幅１３１は、シャンク１２０が患者の唇または舌を後退させるために使用され得るように、高さ１３２を上回る。本実施形態では、ハンドル２１０もまた、長方形断面２３０を有する。
【００３６】
本発明の好ましい実施形態の前述の開示は、例証および説明の目的のために提示されている。包括的であること、または本発明を開示される精密な形態に限定することを意図するものではない。本明細書に説明される実施形態の多くの変形例および修正が、前述の開示に照らして当業者に明白となるであろう。本発明の範囲は、本明細書に添付の請求項およびその均等物によってのみ定義されるものとする。
【００３７】
さらに、本発明の代表的実施形態を説明する際、本明細書は、本発明の方法および／またはプロセスを特定のシーケンスのステップとして提示し得る。しかしながら、方法またはプロセスが本明細書に記載される特定の順序のステップに依拠しない限り、方法またはプロセスは、説明される特定のシーケンスのステップに限定されるべきではない。当業者が理解するであろうように、他のシーケンスのステップも、可能性として考えられ得る。したがって、本明細書に記載される特定の順序のステップは、請求項の限定として解釈されるべきではない。加えて、本発明の方法および／またはプロセスを対象とする請求項は、書かれた順序でのそのステップの実施に限定されるべきではなく、当業者は、シーケンスが変動され得、依然として、本発明の精神および範囲内にあることを容易に理解し得る。
【図１】
2018522652.tif 000003
【図２】
2018522652.tif 000004
【図３】
2018522652.tif 000005
【図４】
2018522652.tif 000006
【図５】
2018522652.tif 000007
【図６】
2018522652.tif 000008
【図７】
2018522652.tif 000009
【国際調査報告】
2018522652.tif 000010